(57)【特許請求の範囲】
【請求項１】
把持具本体Ａ1及びＡ２のそれぞれの一つの対向面において、頭端側近傍に最も高い厚みを有した操作基点を設け、そこから頭端側へ徐々に薄くなるように傾斜した頭部テーパー面と、下部先端側へ徐々に薄くなるように傾斜した下部テーパー面とを設け、この操作基点を基点とした互いのテーパー面とで成す開き角を角度＝１４５°〜１７５°に設定した磁石付把持具において、
互いの頭部テーパー面にはそれぞれ、少なくとも２個の極の異なる磁石又は磁性体を対向する位置に配置し、さらに一方の把持部の頭部テーパー面にはＳ極磁石及びＮ極磁石のいずれか一方を、他方の把持部の頭部テーパー面には他方の磁石又は磁性体を互いに対向する位置に配置し、
さらに下部テーパー面は、操作基点近傍に、互いの把持部を噛み合わせるように、一方に噛み合わせ凸部を、他方に噛み合わせ凹部を設け、この様に形成された左右の下部テーパー面を向い合わせにして噛み合わせ凸部及び凹部を噛み合わせた状態で、頭部テーパー面において互いの磁石によって磁着させて下部先端を一時的に開いた状態にさせ、さらに、この噛み合わせ部にて互いの把持部が円狐を描く円滑に動作させ、把持した手指で２本一対の、把持部先端を開閉して操作することを設け、
前記把持具本体の一方の頭部テーパー面上に設けられる少なくとも２個の磁石又は磁性体のうち、少なくとも１個は操作基点側に設けられ、残りの少なくとも１個は頭端側に設けられ、且つ、
前記他方の下部テーパー面に設けられた噛み合わせ凹部は、前記把持具本体が内部がえぐられるように刻設された内部溝であり、前記噛み合わせ凸部と噛み合わされた状態においても、前記操作基点は前記下部テーパー面と同一面に配置された事を特徴とする磁石付把持具。
【請求項２】
上記噛み合わせ凸部と噛み合わせ凹部との噛み合わせ面が円弧を成し、互いに対応して各把持部を円滑に開閉させることを特徴とする請求項１に記載の磁石付把持具。
【発明の詳細な説明】
【技術分野】
【０００１】
本発明は、箸の食文化の無い外国の人達、指先に力が入らない人達、箸使いが苦手な人達が、誰でも持ちやすく使える磁石付把持具に関するものである。
【背景技術】
【０００２】
従来、箸はある程度、練習しないと上手く使いこなせない二本の棒形が一般的だった。
また、非使用時に一対の箸を持ち手側端部で接合したり（特許文献１参照）、持ち手中央部で磁着させたり（特許文献２参照）、また、食事する時に食べ過ぎないように、わざと使いづらくするための工夫として、持ち手側端部に磁石を設けた先行技術（特許文献３参照）も知られている。これらの文献に開示の箸は、どれもその長手方向の一部に磁石を設けて互いに一時的に接触状態を維持するだけである。
【先行技術文献】
【特許文献】
【０００３】
【特許文献１】特開平１１−２０６５４３号公報
【特許文献２】特開平１１−２０６５４２号公報
【特許文献３】特開平０９−１０３３５３号公報
【発明の概要】
【発明が解決しようとする課題】
【０００４】
これら従来技術は、以下のような欠点があった。
（特許文献１）・（特許文献２）は共に互いの磁石の設置状態が適切に固定・保持する手段がなんら設けられていないため、互いの位置関係によっては非使用時に箸がバラバラに散乱する。また、例えば、Ｎ極側の箸もＳ極側の箸も同様の形状を成すため、これらの箸を多数使用した場合に２本の箸を選び出す面倒さもある。本発明は、これらの問題点を改良したのであるのに対し、これらの従来技術の箸は食事をする時に使いやすく工夫されたものでない。
とりわけ、（特許文献３）は食事中に使用する際の食べ過ぎを抑制するために意図的に使いづらくする工夫・器具であって、食事を楽しむには程遠い。
これらの問題点の他に、箸等の把持具には以下の点も要望されている。
（イ）箸はある程度、練習しないと上手に使えなかった。
（ロ）介護用の箸は形が複雑で洗うのに手間がかかった。
（ハ）箸の食文化のない外国の人達、指先に力が入らない人達、箸が苦手な人達、誰でも楽しく使える箸がなかった。
本発明は以上のような欠点や要望を解決・充足するためになされたものである。
【課題を解決するための手段】
【０００５】
上記課題を解決するために添付図面を参照して本発明の要旨を説明する。
【０００６】
操作基点（３）から把持部先端（１１）に向かって徐々に細くなっていく断面の一対の把持部を含み、一対を成す左右２本の把持具本体（Ａ1、Ａ２）をそれぞれとして、これらを立てた状態を仮定する。把持具本体（Ａ1及びＡ２）のそれぞれの一つの対向テーパー面（７，８）において、頭端（１０）側近傍（通常の大きさの箸の場合は頭端（１０）から１ｃｍ〜５ｃｍ、ゴミ拾いトングのような大型の把持具の場合は３ｃｍ〜１０ｃｍ把持部先端（１１）に近づいた位置）に最も高い厚みを有した操作基（３）を設け、そこから頭端（１０）側へ徐々に薄くなるように傾斜した頭部テーパー面（７）と、把持部先端（１１）側へ徐々に薄くなるように傾斜した下部テーパー面（８）とを設け、この操作基点（３）を基点とした互いのテーパー面（７，８）で成す、開閉角を角度＝１４５°〜１７５°に設定する。互いの頭部テーパー面（７）にはそれぞれ、少なくとも１個の極の異なる磁石又は磁性体（１，２）を互いに対向する位置に配置する。
つまり、一方の把持具の頭部テーパー面（７）にはＳ極磁石及びＮ極磁石のいずれか一方（１）を、他方の把持具の頭部テーパー面（７）には他方の磁石又は磁性体（２）を互いに対向する位置に配置する。下部テーパー面（８）は、操作基点（３）近傍（基点を中心に０ｃｍ〜５ｃｍの範囲まで）に、互いの把持具を噛み合わせるように、一方に外側に突き出た噛み合わせ凸部（４）を、他方に内側にへこんだ噛み合わせ凹部（５）を設ける。
この様に形成された左右の下部テーパー面（８）を向い合わせにして噛み合わせ凸部（４）及び凹部（５）を噛み合わせた状態で、頭部テーパー面（７）において互いの磁石又は磁性体（１，２）によって磁着させつつ把持部先端（１１）を一時的に開いた状態に保持できる。
さらに、この把持具（Ａ1、Ａ２）を把持した手指で、この噛み合わせ凸部（４）及び凹部（５）にて互いの把持部が円狐を描くように動作させることで、一対の把持部先端（１１）を開閉して操作することができる把持具（Ａ1、Ａ２）である。本発明の把持具（Ａ1、Ａ２）であれば、箸などの把持具の操作が苦手の人でも極めて楽に利用できる。
以上を特徴とする把持具（Ａ1、Ａ２）である。
【発明の効果】
【０００７】
このような把持具（Ａ1、Ａ２）によれば、箸として利用した場合、通常の箸だと操作中に不注意でバラバラになってしまうところ、本発明であれば、磁石（１，２）によって互いに一時的な接触した状態が保たれているので、箸（Ａ1、Ａ２）の一方が落下する心配もなく、保管の際も一方を失くしてしまうことはない。さらに、噛み合わせ部（４，５）の設置により、把持具（Ａ1、Ａ２）が円滑かつブレなく「物体をつかむ、離す」ことができるようになる。
【０００８】
（イ）箸の食文化のない外国の人達でも、ピンセット感覚で使える箸である。          （ロ）指先に力が入らない人達もテコの原理を使い、持ちやすく使える把侍具（Ａ1、Ａ２）である。
（ハ）箸が苦手の人達、誰でも練習しなくても使える箸である。
（二）磁着することで、二本の把侍具（Ａ1、Ａ２）が常に一体になっている把侍具（Ａ1、Ａ２）である。
（へ）利き手が、上手く使え無くなった時には、もう一方の手でも使える把侍具（Ａ1、Ａ２）である。            
（ト）把侍具（Ａ1、Ａ２）の形を（太く、細く）、（長く、短く）変形した形状の物を、採用する事により、（トング、ピンセット、菜箸、箸、）など色々な形態、機能などにも使える把侍具（Ａ1、Ａ２）である。
【図面の簡単な説明】
【０００９】
【図１】実施例上の把持具（箸）Ａの使用状態を示す斜視図である。
【図２】実施例上の把持具（箸）Ａの斜視図である。
【図３】実施例上の把持具（箸）Ａの正面図である。
【図４】実施例上の把持具（箸）Ａの側面図である。
【図５】実施例上の把持具（箸）Ａの部分側面図である。
【図６】実施例上の把持具（箸）Ａの部分正面図である。
【図７】実施例上の把持具（箸）Ａを示す写真である。
【図８】実施例上の把持具（トング）Ｂを示す写真である。
【図９】実施例上の把持具（菜箸）Ｃを示す写真である。
【図１０】実施例上の把持具（ピン箸）Ｄを示す写真である。
【図１１】実施例上の把持具（三徳トング）Ｅを示す写真である。
【図１２】実施例上の把持具（二徳トング）Ｆを示す写真である。
【図１３】実施例上の把持具（三徳トング）Ｇを示す写真である。
【発明を実施するための形態】
【００１０】
以下、本発明における好ましい実施例の磁石付把持具Ａ〜Ｇについて、添付図面に基づいて簡単に説明する。
【実施例】
【００１１】
（実施例１）
以下、本発明の磁石付把持具（Ａ1、Ａ２を実施するための実施例１について、図１〜図６を参照しながら説明する。
図３〜図６は、特に、操作基点（３）から把持部先端（１１）に向かって徐々に細くなっていく断面（図示の例では、角型断面）の把持部を含んだ一対を成す（左右２本の）把持具本体をそれぞれ（Ａ1、Ａ２）として、これらを立てた状態を示す。
なお、把持具本体（Ａ1及びＡ２）のそれぞれの一つの対向テーパー面（７，８）において、頭端（１０）側近傍（通常の大きさの箸の場合は頭端（１０）から１ｃｍ〜５ｃｍ、ゴミ拾いトングのような大型の把持具の場合は３ｃｍ〜１０ｃｍ把持部先端（１１）に近づいた位置）に最も高い厚みを有した操作基点（３）を設け、そこから頭端（１０）側へ徐々に薄くなるように傾斜した頭部テーパー面（７）と、把持部
先端（１１）側へ徐々に薄くなるように傾斜した下部テーパー面（８）を設け、この操作基点（３）を基点とした互いのテーパー面（７，８）で成す、開閉角を角度＝１４５°〜１７５°に設定する。互いの頭部テーパー面（７）にはそれぞれ、少なくとも１個の極の異なる磁石又は磁性体（１，２）を互いに対向する位置に配置する。
つまり、一方の把持具の頭部テーパー面（７）にはＳ極磁石及びＮ極磁石いずれか一方（１）を、他方の把持具の頭部テーパー面（７）には他方の磁石（２）又は磁性体を互いに対向する位置に配置する。下部テーパー面（８）は、操作基点（３）近傍（基点を中心に０ｃｍ〜５ｃｍの範囲まで）に、互いの把持具を噛み合わせるように、一方に外側に突き出た噛み合わせ凸部（４）を、他方に内側にへこんだ噛み合わせ凹部（５）を設ける。
この様に形成された左右の下部テーパー面（８）を向い合わせにして噛み合わせ凸部（４）及び凹部（５）を噛み合わせた状態で、頭部テーパー面（７）において互いの磁石又は磁性体（１，２）によって磁着させて把持部先端（１１）を一時的に開いた状態に保持できる。
さらに、この把持具（Ａ1、Ａ２）を把持した手指で、この噛み合わせ凸部（４）及び凹部（５）にて互いの把持部が円狐を描くように動作させることで、一対の把持部先端（１１）を開閉して操作することができる把持具（Ａ1、Ａ２）である。本発明の把持具（Ａ1、Ａ２）であれば、把持具の操作が苦手の人（例えば、介護を要する人、乳幼児、箸の文化を持たない外国人）でも極めて楽に利用できる。
以上を特徴とする把持具（Ａ1、Ａ２）である。
なお、図３や図６に示すように、上記噛み合わせ凸部（４）と噛み合わせ凹部（５）との噛み合わせ面が円弧を成し、互いに対応して各把持部を円滑に開閉させることが好ましい。これにより、食べ物等を把持する前では、把持具先端を開放した状    態で食べ物等に接近させ、その後、この食べ物等を把持する際には、この開放状態から閉鎖状態に把持具先端を極めて円滑に円弧を描くようにして食べ物等を掴むことができる。加えて、互いに備えられた磁石の吸引力により、閉鎖する際の力は少なくても済む。
【００１２】
（把持具Ａの変形例）
また、図５、図６にて外側に突き出た噛み合わせ凸部（４）下部近傍に、他方、内側にへこんだ噛み合わせ凹部（５）下部近傍に、磁石Ｓ極、Ｎ極を１個以上、それぞれ、さらに設けた把持具を示したものである。この変形例によれば、操作の際のブレ止めをさらに高めることができる。
【００１３】
（その他の変形例）         
上記、本発明は実施例の構成に限定されず、本発明の主旨を逸脱しない限りは、その他の構成を採用しても良い。例えば、図７〜図１３に示した構成を有した変形例の把持具Ｂ〜Ｇの様な物でも良い。
【００１４】
上記の把持具の材質には、本発明の主旨を逸脱しない限り多種の材質を使用しても良い。素材としては、例えば、木製、軽金属、セラミック、強化集成材、プラスチックなどが挙げられる。寸法も本発明の主旨を逸脱しない限り、太くしたり、細くしたり、長くしたり、短くしたりした形状の物を、採用しても良い。
【００１５】
（図８）
（変形例の把持具Ｂ）
図８に示す把持具Ｂ（つまり、トング）は、下部テーパー面（８）の箇所に軽金属を、把持部先端（１１）にシリコン樹脂をそれぞれ採用・配置したものである。これにより、鍋など熱を使用した料理などに最適である。（特に、図８の把持具Ｂ，Ｃを参照されたい。）
【００１６】
（図９）
（変形例の把持具Ｃ）
図９は、変形例の把持具Ｃ（菜箸）を示す。
【００１７】
（図１０）
（変形例の把持具Ｄ）
図１０に示す把持具Ｄ（ピン箸）は、下部テーパー面（８）を湾曲の構造にする事で把持部先端（１１）にて物を挟むことがピンセットのように容易に出来る。（図１０の把持具Ｄ，Ｃを参照されたい。）
【００１８】
（図１１）
（変形例の把持具Ｅ）
図１１に示す変形例の把持具Ｅ（三徳トング）は、下部テーパー面（８）から把持部先端（１１）にて形をスプーン、フオークの形状に加工したトングで、離れる事により、（挟む、掬う，突く）などに使用する事が出来る。（図１１の把持具Ｅ，ｂを参照されたい。）
【００１９】
（図１２）
（変形例の把持具Ｆ）
図１２に示す変形例の把持具Ｆ（二徳トング）は、下部テーパー面（８）から把持部先端（１１）にて形を（図１１の把持具Ｆ，Ｃを参照）のように成形し、トングにまた離して杓文字などにも使える。
【００２０】
（図１３）
（変形例の把持具Ｇ）
図１３に示す変形例の把持Ｇ（三徳トング）は下部テーパー面（８）から把持部先端（１１）にて形をスプーン、スプーン＋フオークの形状に加工した、トングで離れる事により（挟む、掬う，突く）など三道理に使う事が出来る。（図１３の把持具Ｇ，ｂを参照されたい。）
【符号の説明】
【００２１】
（Ａ１）箸本体（Ａ２）箸本体（１）磁石Ｓ極＝磁性体（２）磁石Ｎ極＝磁性体
（３）操作基点      （４）噛み合わせ凸部（５）噛み合わせ凹部（７）頭部テーパー面（８）下部テーパー面（９）噛み合わせ部  （１０）頭端  （１１）把持部先端
【図１】
0006030685.tif 000002
【図２】
0006030685.tif 000003
【図３】
0006030685.tif 000004
【図４】
0006030685.tif 000005
【図５】
0006030685.tif 000006
【図６】
0006030685.tif 000007
【図７】
0006030685.tif 000008
【図８】
0006030685.tif 000009
【図９】
0006030685.tif 000010
【図１０】
0006030685.tif 000011
【図１１】
0006030685.tif 000012
【図１２】
0006030685.tif 000013
【図１３】
0006030685.tif 000014